(57)【要約】【課題】記録媒体に記録されている複数のコンテンツについて、複数のコンテンツに跨って、ダイジェスト再生することができる。【解決手段】例えば１週間で放送された番組の中で視聴率が高かった番組について、視聴率が高かった部分をダイジェスト再生することができる。図４の例では、４個の番組Ｖ１乃至Ｖ４がＨＤＤ１９に記録されている場合において、視聴率に基づいてダイジェスト再生を行うと、番組Ｖ２の再生区間Ｍ１、番組Ｖ３の再生区間Ｍ２ａおよび再生区間Ｍ２ｂ、番組Ｖ４の再生区間Ｍ３が視聴率が高い部分として、図４の下段に示すようにダイジェスト再生される。本発明はビデオレコーダに適用可能である。【選択図】図４
2008206076.tif 000002
【特許請求の範囲】
【請求項１】
記録媒体に記録されているコンテンツの所定の再生区間を再生する再生装置において、
前記記録媒体には、２個以上のコンテンツが記録されており、
前記コンテンツの所定の特徴量に応じて、前記２個以上のコンテンツの中から再生区間を決定する再生区間決定手段と、
前記再生区間決定手段により決定された前記再生区間を再生する再生手段と
を備える再生装置。
【請求項２】
前記記録媒体に記録されている前記コンテンツの種別情報を取得し、所定の種別情報に対応するコンテンツを検出するコンテンツ検出手段をさらに備え、
前記再生区間決定手段は、前記所定の特徴量に応じて、前記コンテンツ検出手段により検出された前記２個以上のコンテンツの中から前記再生区間を決定する
請求項１に記載の再生装置。
【請求項３】
前記所定の種別情報を決定する種別情報決定手段
をさらに備える請求項２に記載の再生装置。
【請求項４】
前記種別情報決定手段は、ユーザの指定、またはコンテンツの再生履歴に基づいて前記所定の種別情報を決定する
請求項３に記載の再生装置。
【請求項５】
前記所定の特徴量を決定する特徴量決定手段
をさらに備える請求項１に記載の再生装置。
【請求項６】
前記特徴量決定手段は、ユーザの指定、またはコンテンツの再生履歴に基づいて前記所定の特徴量を決定する
請求項５に記載の再生装置。
【請求項７】
前記再生手段は、前記再生区間を、所定の順番で再生する
請求項１に記載の再生装置。
【請求項８】
前記再生手段は、ユーザの嗜好に応じた順番で、前記再生区間を再生する
請求項７に記載の再生装置。
【請求項９】
前記再生手段は、一度再生された再生区間の再生を制限する
請求項１に記載の再生装置。
【請求項１０】
前記再生手段により再生されている前記再生区間の指定を受け付ける受け付け手段をさらに備え、
前記再生区間決定手段は、前記受け付け手段により前記指定が受け付けられたとき、再生区間を再決定し、
前記再生手段は、前記受け付け手段により前記指定が受け付けられた再生区間以降については再決定した再生区間を再生する
請求項１に記載の再生装置。
【請求項１１】
前記再生区間決定手段は、前記所定の特徴量が所定の閾値に対応する区間を前記再生区間とし、
前記受け付け手段により前記指定が受け付けられたとき、前記所定の特徴量が他の閾値に対応する区間を前記再生区間とするようにして再生区間を再決定する
請求項１０に記載の再生装置。
【請求項１２】
記録媒体に記録されているコンテンツの所定の再生区間を再生する再生方法において、
前記記録媒体には、２個以上のコンテンツが記録されており、
前記コンテンツの所定の特徴量に応じて、前記２個以上のコンテンツの中から再生区間を決定する再生区間決定ステップと、
前記再生区間決定ステップの処理で決定された前記再生区間を再生する再生ステップと
を含む再生方法。
【請求項１３】
記録媒体に記録されているコンテンツの所定の再生区間を再生する再生処理をコンピュータに実行させるプログラムにおいて、
前記記録媒体には、２個以上のコンテンツが記録されており、
前記コンテンツの所定の特徴量に応じて、前記２個以上のコンテンツの中から再生区間を決定する再生区間決定ステップと、
前記再生区間決定ステップの処理で決定された前記再生区間を再生する再生ステップと
を含む再生処理をコンピュータに実行させるプログラム。
【発明の詳細な説明】
【技術分野】
【０００１】
本発明は、再生装置および方法、並びにプログラムに関し、特に、例えば、記録媒体に記録されているテレビジョン番組などの映像や音声からなるコンテンツを要約して再生する場合に用いて好適な再生装置および方法、並びにプログラムに関する。
【背景技術】
【０００２】
テレビジョン番組などの映像および音声からなるコンテンツをハードディスクドライブなどに記録し、それを再生する装置の機能として、記録したコンテンツの中から例えば重要なシーンを抜き出してつなぎ合わせて再生する、すなわちそのコンテンツの要約を再生する機能（以下、この機能をダイジェスト再生機能と称する）が存在する。
【０００３】
このダイジェスト再生機能による再生（以下、ダイジェスト再生と称する）では、コンテンツの記録時に、当該コンテンツの、例えば、所定の音声処理の結果得られる盛り上がり度や所定の音声の出力値、所定の画像処理の結果得られるテロップの検出値、所定の顔画像の検出値、所定のシーンの検出値等が、特徴量として記録され、その記録された特徴量に基づき、例えばコンテンツの中の重要なシーンとされるシーンが抜き出されて再生される。
【０００４】
コンテンツの画像データを、その特徴量と所定の閾値により分類し、所定の分類の画像データを表示するようにして、ダイジェスト再生を行う技術が存在する（特許文献１）。
【特許文献１】特開２００２−３４４８５２号公報
【発明の開示】
【発明が解決しようとする課題】
【０００５】
しかしながら、従来のダイジェスト再生は、１つのコンテンツ（例えば、１つの番組）について要約を行うものであり、複数のコンテンツを跨いで要約を行うものはない。
【０００６】
具体的には、抜き出されるシーンは、例えば、そのコンテンツ内における重要度に基づくものであり、他のコンテンツのシーンとの比較において決定されるものではない。
【０００７】
本発明はこのような状況に鑑みてなされたものであり、複数のコンテンツを跨いで要約を行うことができるようにすることを目的とする。
【課題を解決するための手段】
【０００８】
本発明の一側面の再生装置は、記録媒体に記録されているコンテンツの所定の再生区間を再生する再生装置において、前記記録媒体には、２個以上のコンテンツが記録されており、前記コンテンツの所定の特徴量に応じて、前記２個以上のコンテンツの中から再生区間を決定する再生区間決定手段と、前記再生区間決定手段により決定された前記再生区間を再生する再生手段とを備える。
【０００９】
前記記録媒体に記録されている前記コンテンツの種別情報を取得し、所定の種別情報に対応するコンテンツを検出するコンテンツ検出手段をさらに備え、前記再生区間決定手段は、前記所定の特徴量に応じて、前記コンテンツ検出手段により検出された前記２個以上のコンテンツの中から前記再生区間を決定することができる。
【００１０】
前記所定の種別情報を決定する種別情報決定手段をさらに備えることができる。
【００１１】
前記種別情報決定手段は、ユーザの指定、またはコンテンツの再生履歴に基づいて前記所定の種別情報を決定することができる。
【００１２】
前記所定の特徴量を決定する特徴量決定手段をさらに備えることができる。
【００１３】
前記特徴量決定手段は、ユーザの指定、またはコンテンツの再生履歴に基づいて前記所定の特徴量を決定することができる。
【００１４】
前記再生手段は、前記再生区間を、所定の順番で再生することができる。
【００１５】
前記再生手段は、ユーザの嗜好に応じた順番で、前記再生区間を再生することができる。
【００１６】
前記再生手段は、一度再生された再生区間の再生を制限することができる。
【００１７】
前記再生手段により再生されている前記再生区間の指定を受け付ける受け付け手段をさらに備え、前記再生区間決定手段は、前記受け付け手段により前記指定が受け付けられたとき、再生区間を再決定し、前記再生手段は、前記受け付け手段により前記指定が受け付けられた指定された再生区間以降については再決定した再生区間を再生することができる。
【００１８】
前記再生区間決定手段は、前記所定の特徴量が所定の閾値に対応する区間を前記再生区間とし、前記受け付け手段により前記指定が受け付けられたとき、前記所定の特徴量が他の閾値に対応する区間を前記再生区間とするようにして再生区間を再決定することができる。
【００１９】
本発明の一側面の再生方法は、記録媒体に記録されているコンテンツの所定の再生区間を再生する再生方法において、前記記録媒体には、２個以上のコンテンツが記録されており、前記コンテンツの所定の特徴量に応じて、前記２個以上のコンテンツの中から再生区間を決定する再生区間決定ステップと、前記再生区間決定ステップの処理で決定された前記再生区間を再生する再生ステップとを含む。
【００２０】
本発明の一側面のプログラムは、記録媒体に記録されているコンテンツの所定の再生区間を再生する再生処理をコンピュータに実行させるプログラムにおいて、前記記録媒体には、２個以上のコンテンツが記録されており、前記コンテンツの所定の特徴量に応じて、前記２個以上のコンテンツの中から再生区間を決定する再生区間決定ステップと、前記再生区間決定ステップの処理で決定された前記再生区間を再生する再生ステップとを含む再生処理をコンピュータに実行させる。
【００２１】
本発明の一側面の再生装置、再生方法、またはプログラムにおいては、記録媒体に記録されているコンテンツの所定の再生区間が再生され、前記記録媒体には、２個以上のコンテンツが記録されており、前記コンテンツの所定の特徴量に応じて、前記２個以上のコンテンツの中から再生区間が決定され、前記再生区間が再生される。
【発明の効果】
【００２２】
本発明の一側面によれば、コンテンツの所定の特徴量に応じて２個以上のコンテンツの中から決定された再生区間を再生するようにして、例えばコンテンツのダイジェスト再生を行うことができる。
【発明を実施するための最良の形態】
【００２３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本発明の一側面の再生装置は、
記録媒体に記録されているコンテンツの所定の再生区間を再生する再生装置において、
前記記録媒体（例えば、図２のＨＤＤ１９）には、２個以上のコンテンツが記録されており、
前記コンテンツの所定の特徴量に応じて、前記２個以上のコンテンツの中から再生区間を決定する再生区間決定手段（例えば、図２の再生リスト生成部５３）と、
前記再生区間決定手段により決定された前記再生区間を再生する再生手段（例えば、図２の再生制御部５４）と
を備える。
【００２５】
本発明の一側面の再生方法、またはプログラムは、記録媒体に記録されているコンテンツの所定の再生区間を再生する再生方法において、または記録媒体に記録されているコンテンツの所定の再生区間を再生する再生処理をコンピュータに実行させるプログラムにおいて、
前記記録媒体には、２個以上のコンテンツが記録されており、
前記コンテンツの所定の特徴量に応じて、前記２個以上のコンテンツの中から再生区間を決定する再生区間決定ステップ（例えば、図３のステップＳ５）と、
前記再生区間決定ステップの処理で決定された前記再生区間を再生する再生ステップ（例えば、図３のステップＳ６）と
を含む。
【００２６】
図１は、本発明を適用したビデオレコーダ１の構成例を示している。ビデオレコーダ１は、受信したテレビジョン番組を録画し、録画した番組を通常に再生することができるとともに、後述するように複数の番組に跨ってダイジェスト再生することができる。なおここでは、テレビジョン番組についてのダイジェスト再生について説明するが、テレビジョン番組に限らず映像や音声からなるコンテンツ全般について本発明を適用することができる。
【００２７】
チューナ部１１は、外部のアンテナにより受信された放送電波の入力を受けて、ＣＰＵ１５からの指示に従って所定の搬送周波数の信号を選択し、選択した受信信号に対してＱＰＳＫ（Quadrature Phase Shift Keying）復調および誤り訂正処理を施す。そして、チューナ部１１は、処理後のトランスポートストリームからビデオストリームおよびオーディオストリームを分離して、ＣＰＵ１５の指示に従ってエンコーダ／デコーダ１２やＨＤＤ１９などに転送する。また、チューナ部１１は、トランスポートストリームからＥＰＧ（Electronic Program Guide）などのデータ放送用の付加情報、コピー制御情報、暗号化のための鍵データなどのライセンス情報などを分離して、これらをＣＰＵ１５に転送する。
【００２８】
エンコーダ／デコーダ１２は、ＭＰＥＧ（Moving Picture Experts Group）方式に従ってビデオおよびオーディオのデータの圧縮符号化および伸張復号化処理を行う。
【００２９】
例えば、チューナ部１１やＨＤＤ１９、光ディスクドライブ２０、メモリカードＩ／Ｆ２１などから供給されたビデオ，オーディオの各符号化データをデコードし、処理後のビデオ，オーディオのデータをそれぞれグラフィックＩ／Ｆ１３やオーディオＩ／Ｆ１４に出力する。
【００３０】
グラフィックＩ／Ｆ１３は、エンコーダ／デコーダ１２でデコード処理されたビデオデータを例えばアナログ信号に変換し、外部のテレビジョン受像機などに出力する。
【００３１】
オーディオＩ／Ｆ１４は、エンコーダ／デコーダ１２でデコード処理されたオーディオデータを例えばアナログ信号に変換して、テレビジョン受像機やオーディオ機器などに出力する。
【００３２】
ＣＰＵ（Central Processing Unit）１５は、ＲＯＭ（Read Only Memory）１６などに格納されたプログラムを実行することにより、ビデオレコーダ１内の各部を統括的に制御する。
【００３３】
例えばＣＰＵ１５は、番組を録画する際、エンコードされた番組のデジタル符号化データをＨＤＤ１９に記録させるとともに、番組のタイトル情報と特徴量を検出し、番組毎に、タイトル情報と特徴量のそれぞれのファイルを生成し、ＨＤＤ１９に記録させる。
【００３４】
なおタイトル情報は、例えば、番組のタイトル名、録画日時、ジャンル、および出演者等の番組詳細情報等の情報であって、番組を種別することができる情報であり、ＥＰＧ等から抽出される。
【００３５】
また特徴量は、番組の、例えば、所定の音声処理の結果得られる盛り上がり度や所定の音声の出力値、所定の画像処理の結果得られるテロップの検出値、所定の顔画像の検出値、およびシーンの切り替わり位置の検出値等の情報である。特徴量を検出するための所定の音声処理や画像処理は、適宜ＣＰＵ１５により実行される。
【００３６】
ＣＰＵ１５は、ダイジェスト再生時において、ＨＤＤ１９に記録されている特徴量に基づいて、記録されているデジタル符号化データの全再生時間の中から再生する所定の再生区間を決定し、ＨＤＤ１９やエンコーダ／デコーダ１２等を制御して、決定した再生区間を再生させる。
【００３７】
ＲＯＭ１６には、ＯＳ（Operating System）やＢＩＯＳ（Basic Input／Output System）、アプリケーションプログラム、その他の各種データが予め格納される。
【００３８】
ＲＡＭ（Random Access Memory）１７は、ＣＰＵ１５に実行させるプログラムの少なくとも一部や、このプログラムによる処理に必要な各種データを一時的に記憶する。
【００３９】
不揮発性メモリ１８は、例えばＥＥＰＲＯＭ（Electronically Erasable and Programmable Read Only Memory）などからなり、ＣＰＵ１５に実行させるプログラムや、暗号化や復号などの処理に必要なデータが予め記録される。
【００４０】
ＨＤＤ１９は、長時間のビデオコンテンツのデータを記録することが可能な、例えば１００ＧＢｙｔｅといった比較的大容量の記憶装置であり、ＣＰＵ１５により指定されるコマンドやアドレス情報に基づいてデータの書き込みおよび読み出しの動作を行う。ＨＤＤ１９には、番組のデータや、データ放送用の付加情報などが記録される。また、ＨＤＤ１９には、ＣＰＵ１５により実行されるプログラムや実行に必要なデータなどが記憶されてもよい。
【００４１】
光ディスクドライブ２０には、ＤＶＤなどの光ディスク２０ａが装着され、光ディスクドライブ２０は、この光ディスク２０ａを用いてデータの読み取りや書き込みを行う。光ディスク２０ａには、このビデオレコーダ１、あるいは他の装置において受信された放送コンテンツのデータなどが記録される。
【００４２】
メモリカードＩ／Ｆ２１には、フラッシュメモリを内蔵するメモリカード２１ａが装着され、メモリカードＩ／Ｆ２１は、このメモリカード２１ａを用いてデータの読み取りや書き込みを行う。メモリカード２１ａには、例えばＨＤＤ１９などからコピーあるいはムーブされたビデオコンテンツのデータなどが記録される。
【００４３】
入力Ｉ／Ｆ２２は、例えば、図示しないリモートコントローラからの赤外線信号を受信する受信回路や、ユーザが操作するための操作キーなどを具備し、ユーザの入力操作に応じた制御信号をＣＰＵ１５に対して供給する。
【００４４】
暗号処理回路２３は、著作権保護されたビデオコンテンツをムーブする際などに必要となる暗号化，復号の処理を実行する。例えば、ＨＤＤ１９や光ディスク２０ａ、メモリカード２１ａにビデオコンテンツのデータを記録する際の暗号化処理や、これらからデータを読み出す際の復号処理を実行する。
【００４５】
図２は、ダイジェスト再生処理を実行する場合のＣＰＵ１５の機能的構成例を示している。
【００４６】
ＨＤＤ１９には、少なくとも２個以上の番組のデータ（図示せず）が記録されているとともに、それらのタイトル情報のファイル（以下、タイトル情報ファイルと称する）１９Ａと特徴量のファイル（以下、特徴量ファイルと称する）１９Ｂがそれぞれ番組毎に記録されている。
【００４７】
タイトル情報取得部５１は、再生リスト生成部５３の制御に従って、ＨＤＤ１９に記録されている各番組のタイトル情報ファイル１９Ａを読み出して、再生リスト生成部５３に供給する。
【００４８】
特徴量取得部５２は、再生リスト生成部５３の制御に従って、ＨＤＤ１９に記録されている特徴量ファイル１９Ｂの中から、所定の番組の特徴量ファイル１９Ｂを取得し、再生リスト生成部５３に供給する。
【００４９】
再生リスト生成部５３は、タイトル情報取得部５１から供給されたタイトル情報ファイル１９Ａと特徴量取得部５２から供給された特徴量ファイル１９Ｂに基づいて、ダイジェスト再生において再生される再生区間を決定し、その再生区間を示す情報からなる再生リストを生成する。再生リスト生成部５３は、生成した再生リストを、再生制御部５４に供給する。
【００５０】
再生制御部５４は、エンコーダ／デコーダ１２やＨＤＤ１９等を制御して、再生リスト生成部５３から供給された再生リストに示される再生区間をデコードさせる。
【００５１】
次に図３のフローチャートを参照して、ダイジェスト再生処理を説明する。
【００５２】
ステップＳ１において、ダイジェスト再生に利用するタイトル情報と特徴量が決定される。
【００５３】
再生リスト生成部５３は、例えばダイジェスト再生開始時にユーザの入力Ｉ／Ｆ２２の操作により指定されたタイトル情報や特徴量を、ダイジェスト再生に利用するタイトル情報と特徴量とすることができる。また予め設定されたユーザの嗜好情報や番組の視聴履歴に基づいて、ユーザの嗜好に合ったタイトル情報や特徴量を検出し、それらを、ダイジェスト再生に利用することもできる。
【００５４】
ここでは、所定の１日（例えば、ユーザがダイジェスト再生する日）に放送されたニュース番組について、各ニュース番組のトップニュースをピックアップしてダイジェスト再生するものとし、ニュース番組であることを示すタイトル情報と、映像シーンの切り替わり位置の検出値等の各ニュース番組の放送開始から一定の区間を特定することができる特徴量を、ダイジェスト再生に利用するタイトル情報および特徴量とするものとする。
【００５５】
なおこの例の場合、ＨＤＤ１９には、その日に放送されたニュース番組を含む番組のデータ、およびその番組のタイトル情報ファイル１９Ａと特徴量ファイル１９Ｂが記録されている。
【００５６】
ステップＳ２において、再生リスト生成部５３は、タイトル情報取得部５１を制御して、ＨＤＤ１９に記録されている各番組のタイトル情報ファイル１９Ａを取得させ、ステップＳ３において、取得させたタイトル情報ファイル１９Ａを参照して、ステップＳ１で決定したタイトル情報を含む番組を検出する。
【００５７】
いまの例の場合、ニュース番組を示すタイトル情報を有する番組（すなわち、ニュース番組）が検出される。
【００５８】
次にステップＳ４において、再生リスト生成部５３は、特徴量取得部５２を制御して、ＨＤＤ１９に記録されている特徴量ファイル１９Ｂの中から、ステップＳ３で検出した番組の特徴量ファイル１９Ｂを取得させる。
【００５９】
いまの例の場合、ニュース番組の特徴量ファイル１９Ｂが取得される。
【００６０】
ステップＳ５において、再生リスト生成部５３は、特徴量取得部５２を介して取得した特徴量ファイル１９Ｂの中のステップＳ１で決定した特徴量に基づいて、ステップＳ３で検出された各番組から再生区間を決定し、それらの再生区間を示す再生ファイルを生成する。
【００６１】
いまの例の場合、映像シーンの切り替わり位置の検出値等の特徴量に基づいて、各ニュース番組の放送開始から所定の区間が検出され、その区間が再生区間とされ、その再生区間を示す情報が記述された再生リストが生成される。
【００６２】
再生リスト生成部５３は、生成した再生リストを再生制御部５４に供給する。
【００６３】
ステップＳ６において、再生制御部５４は、ＨＤＤ１９を制御して、再生リストに示される再生区間に対応する番組のデータを読み出させ、エンコーダ／デコーダ１２に供給させ、デコードさせる。その結果得られたビデオおよびオーディオデータはそれぞれグラフィックＩ／Ｆ１３およびオーディオＩ／Ｆ１４に供給され、アナログ信号に変換されて出力される。
【００６４】
以上のようにしてダイジェスト再生が行われる。すなわちいまの例の場合、複数のニュース番組に跨って各ニュース番組のトップニュースがダイジェスト再生される。これによりユーザは、各ニュース番組でのトップニュースを視聴することができるので、例えば、各番組間のトップユースの違いを知ることができる。また重要なニュースは、通常は、各ニュース番組でトップニュースとして取り上げられていることから、ユーザは、重要なニュースを繰り返し視聴することができる。
【００６５】
なお以上においては各ニュース番組のトップニュース部分をダイジェスト再生し、各番組の所定の部分が再生されるようにしたが、例えば各ニュース番組の各再生区間について、再生区間全体における順位付けを行い、上位に位置付けられた再生区間についてのみ再生するダイジェスト再生を行うことができる。この場合、上位に位置付けられたトップニュースのみが再生されるので、各ニュース番組のトップニュースのすべてが再生されるとは限らず、例えばあまり重要でないニュースをトップニュースは再生されない。
【００６６】
また以上においては、所定の日に放送された複数のニュース番組に跨って各ニュース番組のトップニュースをダイジェスト再生する場合を例として説明したが、同様に、録画された、毎週放送された所定のドラマ番組の初回の放送から最終回の放送までの複数の番組に跨って、各番組の導入部分と後半の盛り上がり部分をダイジェスト再生することもできる。
【００６７】
この例の場合、ステップＳ１において、所定のドラマ番組を示すタイトル情報と、映像シーンの切り替わり位置の検出値やコンテンツの途中に挿入されているコマーシャルメッセージの検出値等の番組の導入部分を特定することができる特徴量や、主役の顔画像や音声の検出値等の盛り上がり部分を特定できる特徴量が、ダイジェスト再生に利用するタイトル情報および特徴量とされる。
【００６８】
このようなタイトル情報と特徴量に基づいて上述したステップＳ２乃至ステップＳ６の処理を行うことにより、例えば、毎週放送されている所定のドラマ番組の初回から最終回までの複数の番組に跨って、各番組の導入部分と後半の盛り上がり部分をダイジェスト再生することができる。これによりユーザは、例えばシリーズで放送される番組についてのあらすじを把握することができる。
【００６９】
なお録画されたすべての番組（いまの例では初回の放送から最終回の放送までの番組）についてダイジェスト再生するものとしたが、まだ見ていない所定回の放送分についてダイジェスト再生することもできる。すなわちすでに視聴された部分は再生区間として再生リストに登録しないようにし、一度視聴された部分はダイジェスト再生されないようにすることができる。
【００７０】
また各番組の導入部分と後半の盛り上がり部分をダイジェスト再生し、各番組の所定の部分が再生されるようにしたが、例えば各番組の盛り上がり度について順位付けし、上位に位置付けられた再生区間についてのみ再生するダイジェスト再生を行うこともできる。この場合、上位に位置付けられた再生区間のみが再生されるので、例えばあまり盛り上がなかった回の番組については再生されないことになる。
【００７１】
また以上においては、ユーザにより指定されたタイトル情報や特徴量、またはユーザの履歴情報に基づくタイトル情報や特徴量を、ダイジェスト再生に利用するタイトル情報および特徴量とするようにしたが、例えば所定のサーバから提供される番組の視聴率やインターネット上での出現頻度の高い言葉（以下、トレンドワードと称する）等に対応するタイトル情報や特徴量を用いて、ダイジェスト再生することもできる。
【００７２】
例えば１週間の間に録画された番組について、視聴率が高かった部分をダイジェスト再生することもできる。また１週間の間に録画された番組について、トレンドワードが音声で又はテロップ等で出力される部分をダイジェスト再生することができる。さらに視聴率およびトレンドワードの両方を用いてダイジェスト再生することもできる。
【００７３】
すなわち例えば図４の上段に示すような、１週間の間に録画された４個の番組Ｖ１乃至Ｖ４について、視聴率に基づくダイジェスト再生を行った場合、視聴率が高かった番組Ｖ２の区間Ｍ１、番組Ｖ３の区間Ｍ２ａおよび区間Ｍ２ｂ、番組Ｖ４の区間Ｍ３が、それぞれ再生区間として決定され、図４の下段に示すように再生される。
【００７４】
なお番組の視聴率やトレンドワードを所定のサーバから取得する場合、ビデオレコーダ１には、そのサーバと通信する通信部（図示せず）が設けられている。
【００７５】
また以上においては、ダイジェスト再生時に決定された再生区間が一律に再生されたが、例えばダイジェスト再生中のユーザの指定により、指定されたシーンからの再生区間を変更して再生することもできる。
【００７６】
例えば図４の下段に示すようなダイジェスト再生が行われる場合、図５の下段における上向きの矢印が示すように、番組Ｖ３の再生区間Ｍ２ｂの区間Ｍ２ｂ'再生後に、ユーザが所定の操作を行ったとき、再生区間Ｍ２ｂの残りの区間Ｍ２ｂ''を再生するとともに、当初の再生区間とされていなかった、再生区間Ｍ２ｂに続く番組Ｖ３の区間Ｍ２ｃが再生区間されて再生されるようにすることができる。すなわちユーザはダイジェスト再生中に所定の操作を行うことにより、その番組（図５の例では、番組Ｖ３）のより広い区間について視聴できるようになる。
【００７７】
特徴量と所定の閾値とを比較して、閾値以上の特徴量が得られた範囲を再生区間として決定する場合、ダイジェスト再生中に所定の指定操作がなされたとき、指定された位置以降の再生区間の決定について、特徴量と比較する閾値を例えば低い値に変更し、より広い区間が再生区間として決定されるようにして、再生区間の再決定が行われる。再生リスト生成部５３は、再決定した再生区間でダイジェスト再生時に生成した再生リストを変更し、再生制御部５４は、変更された再生リストに基づいて、エンコーダ／デコーダ１２等を制御してダイジェスト再生を継続する。
【００７８】
なお図５の例では、番組Ｖ３についてのみ再生区間が変更されるものとしたが、それ以降の番組Ｖ４についてもより広い区間が再生されるように再生区間が変更されるようにすることもできる。また再生区間をより狭い区間が再生されるように変更することもできる。
【００７９】
また以上においては、再生区間が、例えば放送時刻の順番に再生されていたが、放送の順番でなく、例えばユーザの嗜好に合った順番等で再生することもできる。またそのように所定の順番で再生する場合、番組の要約（すなわち所定の再生区間）ではなく番組の全部を再生するが、番組をユーザの嗜好に応じて分割し、その分割区間を、ユーザの嗜好に応じた順番で再生することもできる（以下、このような再生を分割再生と称する）。
【００８０】
例えば図６の上段に示したように、バラエティ番組である番組Ｖ１１、ニュース番組である番組Ｖ１２、および英会話の番組である番組Ｖ１３について分割再生する場合、番組Ｖ１１は、番組のコーナによって区間Ｍ１１ａ，Ｍ１１ｂ，Ｍ１１ｃに分割され、番組Ｖ１２は、トップニュースの部分である区間Ｍ１２ａ、特集の部分の区間Ｍ１２ｂ、スポーツの部分の区間Ｍ１２ｃ、そして結びの部分の区間Ｍ１２ｄに分割され、番組Ｖ１３は、その全体を区間Ｍ１３とするものとする。
【００８１】
そして番組Ｖ１１の区間Ｍ１１ｂ、番組Ｖ１２の区間Ｍ１２ｃ、番組Ｖ１２の区間Ｍ１２ａ、番組Ｖ１３の区間Ｍ１３、番組Ｖ１１の区間Ｍ１１ａ、番組Ｖ１１の区間Ｍ１１ｃ、番組Ｖ１２の区間Ｍ１２ｂ、そして番組Ｖ１２の区間Ｍ１２ｄの順番で、ユーザの嗜好に合っているものとすると、この例の場合、図６の下段に示すように、その順番で再生される。
【００８２】
図６の例のように分割再生することにより、ユーザの嗜好に合わせてタイトルだけでなくシーンもソートして再生することができる。
【００８３】
従って図６の例では、例えばユーザが２３時頃家に帰って来てダイジェスト再生を実行すると、まず好きなバラエティ番組Ｖ１１のコーナ（区間Ｍ１１ｂ）を視聴することができ、そしてご飯を食べるころにニュース番組Ｖ１２のスポーツニュース（区間Ｍ１２ｃ）、食後の休憩中あたりでニュース番組Ｖ１２のトップニュース（区間Ｍ１２ａ）を視聴することができる。その後、英会話番組Ｖ１３が再生されるので英会話を勉強することができる。
【００８４】
あとの後の部分はユーザはそれほど興味がないので、例えばテレビはつけっぱなしにしたまま、お風呂に入ったり、電話したり、適当な時間になったらテレビを消して寝るというにすることができる。
【００８５】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００８６】
図７は、上述した一連の処理をプログラムにより実行するパーソナルコンピュータの構成の例を示すブロック図である。ＣＰＵ（Central Processing Unit）２０１は、ROM（Read Only Memory）２０２、または記憶部２０８に記憶されているプログラムに従って各種の処理を実行する。RAM（Random Access Memory）２０３には、ＣＰＵ２０１が実行するプログラムやデータなどが適宜記憶される。これらのＣＰＵ２０１、ROM２０２、およびRAM２０３は、バス２０４により相互に接続されている。
【００８７】
ＣＰＵ２０１にはまた、バス２０４を介して入出力インタフェース２０５が接続されている。入出力インタフェース２０５には、キーボード、マウス、マイクロホンなどよりなる入力部２０６、ディスプレイ、スピーカなどよりなる出力部２０７が接続されている。ＣＰＵ２０１は、入力部２０６から入力される指令に対応して各種の処理を実行する。そして、ＣＰＵ２０１は、処理の結果を出力部２０７に出力する。
【００８８】
入出力インタフェース２０５に接続されている記憶部２０８は、例えばハードディスクからなり、ＣＰＵ２０１が実行するプログラムや各種のデータを記憶する。通信部２０９は、インターネットやローカルエリアネットワークなどのネットワークを介して外部の装置と通信する。
【００８９】
また、通信部２０９を介してプログラムを取得し、記憶部２０８に記憶してもよい。
【００９０】
入出力インタフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【００９１】
コンピュータにインストールされ、コンピュータによって実行可能な状態とされるプログラムを格納するプログラム記録媒体は、図７に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア２１１、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインタフェースである通信部２０９を介して、ローカルエリアネットワーク、インターネット、デジタル衛星放送といった、有線または無線の通信媒体を利用して行われる。
【００９２】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００９３】
【図１】本発明を適用したビデオレコーダ１の構成例を示すブロック図である。
【図２】ダイジェスト再生を行う場合のＣＰＵ１５の機能的構成例を示すブロック図である。
【図３】ダイジェスト再生処理を説明するフローチャートである。
【図４】ダイジェスト再生処理の具体例を示す図である。
【図５】ダイジェスト再生処理の他の具体例を示す図である。
【図６】分割再生処理の具体例を示す図である。
【図７】コンピュータの構成例を示すブロック図である。
【符号の説明】
【００９４】
１１  チューナ部，  １２  エンコーダ／デコーダ，  １３  グラフィックＩ／Ｆ，  １４  オーディオＩ／Ｆ，  １５  ＣＰＵ，  １６  ＲＯＭ，  １７  ＲＡＭ，  ５１  タイトル情報取得部，  ５２  特徴量取得部，  ５３  再生リスト生成部，  ５４  再生制御部
【図１】
2008206076.tif 000003
【図２】
2008206076.tif 000004
【図３】
2008206076.tif 000005
【図４】
2008206076.tif 000006
【図５】
2008206076.tif 000007
【図６】
2008206076.tif 000008
【図７】
2008206076.tif 000009